(57)【要約】【課題】宗教用有体物の基体の外面に金箔を接着させた接着剤が劣化している場合において、宗教用有体物の見栄えや宗教的価値の向上のため、表層部についての補修が安価にでき、かつ、補修をした場合にも、宗教用有体物についての歴史的価値が良好に維持されるようにする。【解決手段】仏像などの基体２と、この基体２の外面に接着された金箔４とを備える宗教用有体物の表層部補修方法である。補修方法によれば、まず、液状の接着剤１０を可撓性の多孔吸湿体１１に含ませる。次に、多孔吸湿体１１を金箔４の外面に対し垂直な方向に向けて圧接Ａする。圧接Ａにより、金箔４が有する多数のピンホールを通して多孔吸湿体１１内の接着剤１０を基体２の外面と金箔４の内面との間に浸入させる。接着剤１０を、水性の樹脂製とする。【選択図】図１
2011015876.tif 000002
【特許請求の範囲】
【請求項１】
仏像などの基体と、この基体の外面に接着された金箔とを備えた宗教用有体物の表層部補修方法であって、
まず、液状の接着剤を可撓性の多孔吸湿体に含ませ、次に、この多孔吸湿体を上記金箔の外面に対し垂直な方向に向けて圧接し、この圧接により、上記金箔が有する多数のピンホールを通して上記多孔吸湿体内の接着剤を上記基体の外面と金箔の内面との間に浸入させるようにしたことを特徴とする宗教用有体物の表層部補修方法。
【請求項２】
上記接着剤を、水性の樹脂製としたことを特徴とする請求項１に記載の宗教用有体物の表層部補修方法。
【発明の詳細な説明】
【技術分野】
【０００１】
本発明は、仏像などの基体と、この基体の外面に接着された金箔とを備えた宗教用有体物の表層部補修方法に関するものである。
【背景技術】
【０００２】
宗教用有体物である仏像や仏壇は、一般に、木製の基体と、この基体の外面に接着剤により接着された金箔とを備えている（例えば、下記特許文献１）。
【０００３】
そして、上記基体の外面への金箔の接着により、宗教用有体物の見栄えの向上や宗教的価値の向上が図られている。
【先行技術文献】
【特許文献】
【０００４】
【特許文献１】実開平７−１３２７８号公報
【発明の概要】
【発明が解決しようとする課題】
【０００５】
ところで、宗教用有体物には１００年以上のように多年を経過したものが多く存在する。このような古来の宗教用有体物では、接着剤として漆が多用されている。この漆は経時的に劣化するため、多年の経過による漆の劣化により基体の外面から部分的に金箔が剥離して浮き上がるような状態となったものが見られる。そして、これは、宗教用有体物の見栄え等を阻害させる要因となるおそれがあって、好ましくない。
【０００６】
そこで、宗教用有体物の見栄え等を復元させる上で、上記基体の外面に対する金箔の接着を補修することが考えられる。しかし、金箔は、極めて薄いものであって、それ自体の強度はほとんど有していない。このため、補修作業としてこの金箔に何らかの外力を与えた場合には、基体の外面から金箔が無用に大きく剥離したり、金箔が大きく破損したりするおそれを生じる。
【０００７】
このため、宗教用有体物の表層部補修方法として、従来では、やむを得ず、基体の外面から金箔を全体的に剥がして除去し、その後、基体の外面に対し、改めて新しい金箔を接着剤により接着することが行われている。
【０００８】
しかし、金箔は高価なものであるため、上記のような補修方法を用いた場合には、費用が極めて高額になるという問題点がある。また、特に、宗教用有体物が平安時代の作というように古来のものである場合において、上記補修方法により金箔を全体的に除去して新しい金箔を接着したとすると、この新しい金箔の接着により宗教用有体物の見栄えの向上は図られるものの、後世に残すべき古来の金箔は喪失される結果となる。よって、この宗教用有体物が有しておくべき歴史的価値が失われてしまう、という新たな不都合が生じる。
【課題を解決するための手段】
【０００９】
本発明は、上記のような事情に注目してなされたもので、本発明の目的は、宗教用有体物の基体の外面に金箔を接着させた接着剤が劣化している場合において、この宗教用有体物の見栄えや宗教的価値の向上のため、その表層部についての補修が安価にでき、かつ、この補修をした場合にも、この宗教用有体物についての歴史的価値が良好に維持されるようにすることである。
【００１０】
請求項１の発明は、仏像などの基体２と、この基体２の外面に接着された金箔４とを備えた宗教用有体物の表層部補修方法であって、
まず、液状の接着剤１０を可撓性の多孔吸湿体１１に含ませ、次に、この多孔吸湿体１１を上記金箔４の外面に対し垂直な方向に向けて圧接Ａし、この圧接Ａにより、上記金箔４が有する多数のピンホールを通して上記多孔吸湿体１１内の接着剤１０を上記基体２の外面と金箔４の内面との間に浸入させるようにしたことを特徴とする宗教用有体物の表層部補修方法である。
【００１１】
請求項２の発明は、上記接着剤１０を、水性の樹脂製としたことを特徴とする請求項１に記載の宗教用有体物の表層部補修方法である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、仏像などの基体と、この基体の外面に接着された金箔とを備えた宗教用有体物の表層部補修方法であって、
まず、液状の接着剤を可撓性の多孔吸湿体に含ませ、次に、この多孔吸湿体を上記金箔の外面に対し垂直な方向に向けて圧接し、この圧接により、上記金箔が有する多数のピンホールを通して上記多孔吸湿体内の接着剤を上記基体の外面と金箔の内面との間に浸入させるようにしている。
【００１５】
このため、宗教用有体物の基体の外面に金箔を接着させている接着剤が劣化している場合において、この宗教用有体物の見栄えや宗教的価値の向上のため、その表層部を補修しようとするに際しては、上記圧接により、上記ピンホールを利用して新たな接着剤を上記基体の外面と金箔の内面との間に浸入させればよく、これによれば、上記基体の外面に接着されている既存の金箔をそのまま上記基体の外面に対し再接着させることができる。
【００１６】
よって、上記補修に際し、新しい金箔の準備を不要にでき、もしくは、新しい金箔の量を少なく抑制できることから、上記補修は安価にできる。また、このように補修をした場合には、既存の金箔はそのまま利用されて残ることから、宗教用有体物についての歴史的価値が良好に維持される。
【００１７】
請求項２の発明は、上記接着剤を、水性の樹脂製としている。
【００１８】
このため、上記補修作業において、接着剤を含んだ多孔吸湿体を金箔の外面に圧接して、金箔が有する多数のピンホールを通し上記基体の外面と金箔の内面との間に接着剤を浸入させる場合に、上記接着剤が溶剤系である場合に比べ、この接着剤の早期の蒸発がより確実に防止される。
【００１９】
よって、上記基体の外面と金箔の内面との間への接着剤の浸入が、長い時間をかけることにより、より十分に、かつ、確実になされることから、この接着剤による基体の外面への金箔の再接着はより強固になされる。
【図面の簡単な説明】
【００２０】
【図１】補修方法の前段を説明する断面図である。
【図２】補修方法の後段を説明する断面図である。
【図３】宗教用有体物の正面図である。
【発明を実施するための形態】
【００２１】
本発明の宗教用有体物の表層部補修方法に関し、宗教用有体物の基体の外面に金箔を接着させた接着剤が劣化している場合において、この宗教用有体物の見栄えや宗教的価値の向上のため、その表層部についての補修が安価にでき、かつ、この補修をした場合にも、この宗教用有体物についての歴史的価値が良好に維持されるようにする、という目的を実現するため、本発明を実施するための形態は、次の如くである。
【００２２】
即ち、仏像などの基体と、この基体の外面に接着された金箔とを備えた宗教用有体物の表層部補修方法であって、
まず、液状の接着剤を可撓性の多孔吸湿体に含ませ、次に、この多孔吸湿体を上記金箔の外面に対し垂直な方向に向けて圧接し、この圧接により、上記金箔が有する多数のピンホールを通して上記多孔吸湿体内の接着剤を上記基体の外面と金箔の内面との間に浸入させるようにしている。
【実施例】
【００２３】
本発明をより詳細に説明するために、その実施例を添付の図に従って説明する。
【００２４】
図３において、符号１は、仏像で例示される宗教用有体物である。この宗教用有体物１は、木製の基体２と、この基体２の外面に接着剤３により接着された金箔４と、この金箔４の外面に接着されたワニス５とを備えている。上記接着剤３は、古くから、漆が多用されているが、コーパルニスやカシュー（ｃａｓｈｅｗ）樹脂が用いられる場合もある。また、上記金箔４には、これ自体の特性として、その厚さ方向に貫通する多数のピンホールが形成されている。また、上記ワニス５は、通常、ニスといわれるものである。
【００２５】
図１，２を参照して、上記宗教用有体物１の表層部についての補修方法につき説明する。
【００２６】
図１において、多年を経過した宗教用有体物１では、上記接着剤３が劣化することにより、基体２の外面から部分的に金箔４が剥離して浮き上がり、上記基体２の外面と金箔４との間に空洞８が生じることがある。
【００２７】
そこで、まず、液状の接着剤１０を、脱脂綿で例示される可撓性の多孔吸湿体１１に含ませ、次に、このように接着剤１０を含んだ多孔吸湿体１１´を上記金箔４の外面に対し垂直な方向に向けて押圧させるよう圧接Ａする。
【００２８】
ここで、上記接着剤１０は、アクリル樹脂、ウレタン樹脂、界面活性剤、および水などを混合し、共重合反応させることにより生成された透明な水性のアクリルウレタン樹脂である。
【００２９】
上記アクリル樹脂（ＣＨ２ＣＨ（ＣＯＯＲ）−）は熱可塑性の合成有機重合体であり、アクリル酸、メタクリル酸、アクリル酸エチル、アクリル酸メチルのようなアクリル酸誘導体の重合によって生成される。特に、金属に対する密着性が高いメタクリル酸メチルを原料にすることが好ましい。
【００３０】
一方、上記ウレタン樹脂は、イソシアネート基とアルコール基とを縮合させてできたウレタン結合により、モノマーを共重合させた高分子化合物である。
【００３１】
そして、前記したように、接着剤１０を含んだ多孔吸湿体１１´を上記金箔４の外面に繰り返し圧接Ａさせると、上記接着剤１０の一部が上記ワニス５に押し付けられて、上記接着剤１０に含有されている界面活性剤が上記ワニス５を乳化し、これらワニス５と接着剤１０の一部とが互いに混ざり合う。
【００３２】
また、上記接着剤１０のそれ自体と、上記のように乳化してワニス５と混ざり合った接着剤１０とは、上記金箔４の外面を全体的にほぼ均等厚さで覆うと共に、上記圧接Ａにより、上記金箔４が有する多数のピンホールを通して上記基体２の外面（具体的には接着剤３の外面）と金箔４の内面との間に浸入させられる。以下、上記多孔吸湿体１１´による上記金箔４の外面への圧接位置を少しずつずらしながら、上記圧接Ａを繰り返し行う。すると、上記基体２の外面に対し直接に、もしくは、図２で示すように上記基体２の外面に上記接着剤３を介し間接的に上記金箔４が接着される。これにより、上記空洞８は消失する。
【００３３】
その後、上記状態のまま、約３０分程度放置すれば、上記接着剤１０は、その含有水分が蒸発して乾燥される。これにより、上記基体２の外面に対する金箔４の接着剤１０による接着が終了し、つまり、上記補修作業が終了する。
【００３４】
上記構成によれば、宗教用有体物１の基体２の外面に金箔４を接着させている接着剤３が劣化している場合において、この宗教用有体物１の見栄えや宗教的価値の向上のため、その表層部を補修しようとするに際しては、上記圧接Ａにより、上記ピンホールを利用して新たな接着剤１０を上記基体２の外面と金箔４の内面との間に浸入させればよく、これによれば、上記基体２の外面に接着されている既存の金箔４をそのまま上記基体２の外面に対し再接着させることができる。
【００３５】
よって、上記補修に際し、新しい金箔の準備を不要にでき、もしくは、新しい金箔の量を少なく抑制できることから、上記補修は安価にできる。また、このように補修をした場合には、既存の金箔４はそのまま利用されて残ることから、宗教用有体物１についての歴史的価値が良好に維持される。
【００３６】
また、前記したように、接着剤１０を、水性の樹脂製としている。
【００３７】
このため、上記補修作業において、接着剤１０を含んだ多孔吸湿体１１´を金箔４の外面に圧接Ａして、金箔４が有する多数のピンホールを通し上記基体２の外面と金箔４の内面との間に接着剤１０を浸入させる場合に、上記接着剤１０が溶剤系である場合に比べ、この接着剤１０の早期の蒸発がより確実に防止される。
【００３８】
よって、上記基体２の外面と金箔４の内面との間への接着剤１０の浸入が、長い時間をかけることにより、より十分に、かつ、確実になされることから、この接着剤１０による基体２の外面への金箔４の再接着はより強固になされる。
【００３９】
なお、以上は図示の例によるが、宗教用有体物１は、仏壇、仏具、および神具や、寺院、および神社など宗教的な建築物であってもよい。また、基体２は金属製であってもよい。また、ワニス５は存在しなくてもよい。
【００４０】
また、上記接着剤１０は、アセトンやシンナーなどの溶剤で溶かした漆やワニスなど溶剤系のものであってもよい。また、上記多孔吸湿体１１はスポンジや、不織布などの布を重ねたものであってもよい。また、金箔４の外面に対する多孔吸湿体１１´の圧接Ａは、この多孔吸湿体１１´を軽く叩くことによるものでもよく、また、この圧接Ａはロボットを用いるなどして機械的に行うようにしてもよい。
【符号の説明】
【００４１】
１    宗教用有体物
２    基体
３    接着剤
４    金箔
５    ワニス
８    空洞
１０  接着剤
１１  多孔吸湿体
Ａ    圧接
【図１】
2011015876.tif 000003
【図２】
2011015876.tif 000004
【図３】
2011015876.tif 000005